(57)【要約】【課題】発声機能の腕力訓練球の提供。【解決手段】一種の発声機能の腕力訓練球、主に上部ハウジング、下部ハウジング、嵌め輪、及び回転球体より構成する。該上部ハウジングと下部ハウジングは、上下の縦方向より結合し、該回転球体は嵌め輪により、上部ハウジングと下部ハウジングの間に固定された状態で、縦軸方向又は横軸方向に回転する。該回転球体の両側に若干数の間隔片を設け、該間隔片により回転球体を若干数の収容室を仕切って設ける。該回転球体の表面に若干数の貫通孔を設け、該貫通孔と収容室とそれぞれに連絡する。該回転球体回転の遠心力により、貫通孔と収容室間の空気が高速に流動し、音声を発声して、自然に発声する腕力訓練球構造を構成する。【選択図】図１
0003127943.tif 000002
【実用新案登録請求の範囲】
【請求項１】
上部ハウジング、下部ハウジング、嵌め輪及び回転球体を含み、
該上部ハウジングと該下部ハウジングは互いに結合により、中空状球体を構成し、上部ハウジングに開口部を設け、
該嵌め輪は上部ハウジングと下部ハウジング一の間に設け、該嵌め輪の両側に孔をそれぞれ設け、該回転球体は両側に軸をそれぞれ設け、該軸を嵌め輪両側の孔を通す、該回転球体の両側に若干数の間隔片をそれぞれ設け、間隔片により回転球体の両側に若干数の収容室を形成し、該回転球体表面に若干数の貫通孔を設け、貫通孔は収容室にそれぞれ連絡することを特徴とする一種の発生音声機能の腕力訓練球。
【請求項２】
該上部ハウジングに孔を設け、該下部ハウジングに耳部を設けることを特徴とする請求項１記載の発声機能の腕力訓練球。
【請求項３】
該回転球体の表面にリング溝を設けることを特徴とする請求項１記載の発声機能の腕力訓練球。
【請求項４】
該回転球体の間隔片下方のすそ部に一つ以上の切欠き設けることを特徴とする請求項１記載の発声機能の腕力訓練球。
【請求項５】
該切欠きの形状は円弧形であることを特徴とする請求項４記載の発声機能の腕力訓練球。
【請求項６】
該切欠きの形状は矩形であることを特徴とする請求項４記載の発声機能の腕力訓練球。
【請求項７】
該切欠きの形状は鋸歯状であることを特徴とする請求項４記載の発声機能の腕力訓練球。
【請求項８】
該切欠きの形状は三角形であることを特徴とする請求項４記載の発声機能の腕力訓練球。
【考案の詳細な説明】
【技術分野】
【０００１】
本考案は発声機能の腕力訓練球、特に一種の腕力による回転操作、並びに回転球体内部に設ける孔と収容室間の空気流動により、自然に発声する腕力訓練球構造に関わるものである。
【背景技術】
【０００２】
腕力訓練球は腕力訓練によく使われている。特に手首筋肉の訓練や機能回復訓練に関するものは、特許文献１及び特許文献２は、それぞれ腕力回転運動を主目的とした腕力訓練器が開示されている。簡単な手首操作により、腕力訓練の目的を実現する。
【０００３】
公知技術の腕力訓練球は、腕力訓練のような単純機能か、又は腕力訓練球内部に発光素子を設けて、腕力訓練球により発光させる。この種の腕力訓練球は音声と光を合わせた娯楽効果がない。一方、腕力訓練球内部に音声回路と音声装置を取り付けると、腕力訓練球の構造が複雑になり、製造組み立てが難しくなる。さらに、主な課題は音声回路と音声装置を駆動するための直流電池が必要のほか、電池の電力残存量への気配りと電池交換が必要のため、使用の不便をもたらす。
【０００４】
【特許文献１】台湾特許第１３５０５８号明細書
【特許文献２】米国特許第５８００３１１号明細書
【考案の開示】
【考案が解決しようとする課題】
【０００５】
回転球体の両側に若干数の間隔片を設け、該隔離片により回転球体を若干数の収容室を仕切って設ける。該回転球体の表面に若干数の貫通孔を設け、該貫通孔と収容室とそれぞれに連絡する。該回転球体回転の遠心力により、貫通孔と収容室間の空気が高速に流動し音声を発声する、一種の発声機能の腕力訓練球を提供することを本考案の主な目的である。
【０００６】
該回転球体は貫通孔と収容室間の空気が高速に流動により、音声を発声し、電気回路と電気使用を不要とする、一種の発声機能の腕力訓練球を提供することを本考案のもう一つの目的である。
【０００７】
前記の目的を達成するため、本考案の発声機能の腕力訓練球は、主に上部ハウジング、下部ハウジング、嵌め輪、及び回転球体より構成する。該上部ハウジングと下部ハウジングは、上下の縦方向より結合し、該回転球体は嵌め輪により、上部ハウジングと下部ハウジングの間に固定された状態で、縦軸方向又は横軸方向に回転する。該回転球体の両側に若干数の間隔片を設け、該隔離片により回転球体を若干数の収容室を仕切って設ける。該回転球体の表面に若干数の貫通孔を設け、該貫通孔と収容室とそれぞれに連絡する。該回転球体回転の遠心力により、貫通孔と収容室間の空気が高速に流動し、音声を発声して、電気回路と電気使用を不要な自然発声の効果を実現する。
【課題を解決するための手段】
【０００８】
請求項１の考案は、上部ハウジング、下部ハウジング、嵌め輪及び回転球体を含み、
該上部ハウジングと該下部ハウジングは互いに結合により、中空状球体を構成し、上部ハウジングに開口部を設け、
該嵌め輪は上部ハウジングと下部ハウジング一の間に設け、該嵌め輪の両側に孔をそれぞれ設け、該回転球体は両側に軸をそれぞれ設け、該軸を嵌め輪両側の孔を通す、該回転球体の両側に若干数の間隔片をそれぞれ設け、間隔片により回転球体の両側に若干数の収容室を形成し、該回転球体表面に若干数の貫通孔を設け、貫通孔は収容室にそれぞれ連絡することを特徴とする一種の発声機能の腕力訓練球としている。
請求項２の考案は、該上部ハウジングに孔を設け、該下部ハウジングに耳部を設けることを特徴とする請求項１記載の発声機能の腕力訓練球としている。
請求項３の考案は、該回転球体の表面にリング溝を設けることを特徴とする請求項１記載の発声機能の腕力訓練球としている。
請求項４の考案は、該回転球体の間隔片下方のすそ部に一つ以上の切欠き設けることを特徴とする請求項１記載の発声機能の腕力訓練球としている。
請求項５の考案は、該切欠きの形状は円弧形であることを特徴とする請求項４記載の発声機能の腕力訓練球としている。
請求項６の考案は、該切欠きの形状は矩形であることを特徴とする請求項４記載の発声機能の腕力訓練球としている。
請求項７の考案は、該切欠きの形状は鋸歯状であることを特徴とする請求項４記載の発声機能の腕力訓練球としている。
請求項８の考案は、該切欠きの形状は三角形であることを特徴とする請求項４記載の発声機能の腕力訓練球としている。
【考案の効果】
【０００９】
本考案は発声機能の腕力訓練球、該回転球体回転の遠心力により、貫通孔と収容室間の空気が高速に流動し、音声を発声して、電気回路と電気使用を不要な自然発声の効果を実現する。
【考案を実施するための最良の形態】
【００１０】
図１から図５に示すものは、本考案による発声機能の腕力訓練球の実施例１の実施態様図である。該腕力訓練球１００は、主に上部ハウジング１０、下部ハウジング２０及び回転球体４０より構成する。そのうち、上部ハウジング１０と下部ハウジング２０は中空状の半球体であり、上部ハウジング１０の天面に開口部１１を設けるほか、上部ハウジング１０と下部ハウジング２０の内部に、一対の孔１２と耳部２１を設け、該孔１２と耳部２１を合わせて組み合わせることにより、該上部ハウジング１０と下部ハウジング２０を一つの中空状球体構造を形成する。
【００１１】
前記の嵌め輪３０を上部ハウジング１０と下部ハウジング２０の間に設け、該嵌め輪３０の両側に孔３１、３２をそれぞれ設ける。前記の回転球体４０両側に軸４１、４２をそれぞれ設け、軸４１、４２の両端部に嵌め輪３０に備える孔３１、３２にそれぞれ取り付けて、上部ハウジング１０の孔１２と下部ハウジング２０の耳部２１の間に挿入することにより、該回転球体４０を上部ハウジング１０と下部ハウジング２０の間に固定する。該回転球体４０は軸４１、４２に対して、横方向又は縦方向により、上部ハウジング１０と下部ハウジング２０の間に回転する。本考案において、回転球体４０は横軸方向回転を例示する。
【００１２】
前記の回転球体４０に備える軸４１、４２の両側に複数の間隔片４３、４４（図３、図４）を設ける。間隔片４３、４４により、回転球体４０両側の空間を若干数の収容室４３１、４４１に仕切る。
【００１３】
該回転球体４０の表面にリング溝４５を設け、該リング溝４５が紐４５１を開口部１１からリング溝４５に絡ませて、紐４５１の外側に引っ張る牽引力及び紐４５１と回転球体４０との間の表面摩擦力により、回転球体４０が回転を始動する。なお、前記のリング溝４５の構造と紐４５１の操作は、本考案の回転球体４０の始動運転方法の一つであり、本考案の回転球体４０構造に何らの制限も加わるべきものではない。その他回転球体４０に電動運転する構造はすべて本考案の回転球体４０構造の範疇に含まれるものとする。
【００１４】
該回転球体４０の表面に若干数の貫通孔４６、４７を設け、該貫通孔４６、４７の取付場所は自由選択できる。本考案において、貫通孔４６、４７は上下に向かい合わせた配置を例示する。該貫通孔４６は各収容室４３１に連絡し、該貫通孔４７も各収容室４４１に連絡する。回転球体４０が上部ハウジング１０と下部ハウジング２０の間に回転するとき、回転球体４０回転の遠心力により、高速気流を貫通孔４６、収容室４３１と貫通孔４７、収容室４４１の間に音声を発声し、このことは音楽笛、または風笛の発声原理に同様である。
【００１５】
さらに、図６と図７に示すものは、本考案の腕力訓練球１００の実施例２である。各間隔片４３、４４下方のすそ部に一つ以上の切欠き４３２、４４２を設け、切欠き４３２、４４２は該貫通孔４６、４７とそれぞれに対応し、該貫通孔４６と収容室４３１、貫通孔４７と収容室４４１の間は、高速気流の流動により、該切欠き４３２、４４２により、音声、音調並びに音量の調節や変化を行う。該切欠き４３２、４４２の形状は自由に選択できる。本考案の実施例において、円弧形切欠きを例示する。
【００１６】
図８、図９及び図１０に示すものは、本考案の腕力訓練球１００の実施例３、実施例４、及び実施例５である。そのうち、図８は該切欠き４３２ａ、４４２ａの形状は矩形を設ける。図９に示す切欠き４３２ｂ、４４２ｂの形状は鋸歯状であり、図１０に示す切欠き４３２ｃ、４４２ｃの形状は三角状である。異なった切欠き４３２ａと４４２ａ、４３２ｂおよび４４２ｂ、４３２ｃと４４２ｃにより、該貫通孔４６と収容室４３１、貫通孔４７と収容室４４１との間は、回転球体４０が回転するとき、高速気流が流動し、さまざまな音調と音量の音声を形成して、本考案の腕力訓練球１００によるさまざまな音調と音量の音声の発声効果を実現する。
【００１７】
前記の図１から図１０に示すものは、本考案の発声機能の腕力訓練球である。これらに関する説明及び図示は、本考案の内容並びに技術手段を説明するものである。本考案に取り上げた実施例は説明の便宜に使用されたものであり、本考案の実施範疇に制限を加わるものでないことを申し上げる。よって、以下の請求の範囲に記載された本考案の精神及び範囲から逸脱することなく例示した構造において、種々の変更及び変形を行うことが可能である。
【図面の簡単な説明】
【００１８】
【図１】本考案の立体外観図である。
【図２】本考案図１の立体分解構造図である。
【図３】本考案図２に示す回転球体の立体分解構造である。
【図４】本考案図２に示す回転球体のもう一つの立体分解構造図である。
【図５】本考案図１に示す回転球体の断面拡大図である。
【図６】本考案の実施例２の実施態様図である。
【図７】本考案図６の断面拡大図である。
【図８】本考案の実施例３の実施態様図である。
【図９】本考案の実施例４の実施態様図である。
【図１０】本考案の実施例５の実施態様図である。
【符号の説明】
【００１９】
１００  腕力訓練球
１０  上部ハウジング
１１  開口部
１２、３１、３２  孔
２０  下部ハウジング
２１  耳部
３０  嵌め輪
４０  回転球体
４１、４２  軸
４３、４４  間隔片
４３１、４４１  収容室
４３２、４４２  切欠き
４３２ａ、４３２ｂ、４３２ｃ、４４２ａ、４４２ｂ、４４２ｃ  切欠き
４５  リング溝
４５１  紐
４６、４７  貫通孔
【図１】
0003127943.tif 000003
【図２】
0003127943.tif 000004
【図３】
0003127943.tif 000005
【図４】
0003127943.tif 000006
【図５】
0003127943.tif 000007
【図６】
0003127943.tif 000008
【図７】
0003127943.tif 000009
【図８】
0003127943.tif 000010
【図９】
0003127943.tif 000011
【図１０】
0003127943.tif 000012
【手続補正書】
【提出日】平成18年10月20日(2006.10.20)
【手続補正１】
【補正対象書類名】実用新案登録請求の範囲
【補正対象項目名】全文
【補正方法】変更
【補正の内容】
【実用新案登録請求の範囲】
【請求項１】
上部ハウジング、下部ハウジング、嵌め輪及び回転球体を含み、
該上部ハウジングと該下部ハウジングは互いに結合により、中空状球体を構成し、上部ハウジングに開口部を設け、
該嵌め輪は上部ハウジングと下部ハウジング一の間に設け、該嵌め輪の両側に孔をそれぞれ設け、該回転球体は両側に軸をそれぞれ設け、該軸を嵌め輪両側の孔を通す、該回転球体の両側に若干数の間隔片をそれぞれ設け、間隔片により回転球体の両側に若干数の収容室を形成し、該回転球体表面に若干数の貫通孔を設け、貫通孔は収容室にそれぞれ連絡することを特徴とする発声機能の腕力訓練球。
【請求項２】
該上部ハウジングに孔を設け、該下部ハウジングに耳部を設けることを特徴とする請求項１記載の発声機能の腕力訓練球。
【請求項３】
該回転球体の表面にリング溝を設けることを特徴とする請求項１記載の発声機能の腕力訓練球。
【請求項４】
該回転球体の間隔片下方のすそ部に一つ以上の切欠きを設けることを特徴とする請求項１記載の発声機能の腕力訓練球。
【請求項５】
該切欠きの形状は円弧形であることを特徴とする請求項４記載の発声機能の腕力訓練球。
【請求項６】
該切欠きの形状は矩形であることを特徴とする請求項４記載の発声機能の腕力訓練球。
【請求項７】
該切欠きの形状は鋸歯状であることを特徴とする請求項４記載の発声機能の腕力訓練球。
【請求項８】
該切欠きの形状は三角形であることを特徴とする請求項４記載の発声機能の腕力訓練球。
【手続補正２】
【補正対象書類名】明細書
【補正対象項目名】０００８
【補正方法】変更
【補正の内容】
【０００８】
請求項１の考案は、上部ハウジング、下部ハウジング、嵌め輪及び回転球体を含み、
該上部ハウジングと該下部ハウジングは互いに結合により、中空状球体を構成し、上部ハウジングに開口部を設け、
該嵌め輪は上部ハウジングと下部ハウジングの間に設け、該嵌め輪の両側に孔をそれぞれ設け、該回転球体は両側に軸をそれぞれ設け、該軸を嵌め輪両側の孔を通す、該回転球体の両側に若干数の間隔片をそれぞれ設け、間隔片により回転球体の両側に若干数の収容室を形成し、該回転球体表面に若干数の貫通孔を設け、貫通孔は収容室にそれぞれ連絡することを特徴とする発声機能の腕力訓練球としている。
請求項２の考案は、該上部ハウジングに孔を設け、該下部ハウジングに耳部を設けることを特徴とする請求項１記載の発声機能の腕力訓練球としている。
請求項３の考案は、該回転球体の表面にリング溝を設けることを特徴とする請求項１記載の発声機能の腕力訓練球としている。
請求項４の考案は、該回転球体の間隔片下方のすそ部に一つ以上の切欠きを設けることを特徴とする請求項１記載の発声機能の腕力訓練球としている。
請求項５の考案は、該切欠きの形状は円弧形であることを特徴とする請求項４記載の発声機能の腕力訓練球としている。
請求項６の考案は、該切欠きの形状は矩形であることを特徴とする請求項４記載の発声機能の腕力訓練球としている。
請求項７の考案は、該切欠きの形状は鋸歯状であることを特徴とする請求項４記載の発声機能の腕力訓練球としている。
請求項８の考案は、該切欠きの形状は三角形であることを特徴とする請求項４記載の発声機能の腕力訓練球としている。